(57)【要約】【課題】  本発明は、簡潔構造で容易に過熱水蒸気の送出を行う過熱水蒸気送出装置を提供すること。【解決手段】  本発明の過熱水蒸気送出装置１０は、外部よりエアーＥを送入し加熱する加熱ダクト１１と、加熱ダクト１１に設けられ外部より送入のエアーＥを加熱する加熱ヒーターユニット１６と、加熱ダクト１１に設けられ外部より送入のエアーＥに霧Ｋを噴射する噴射ノズル１５ａ、１５ｂとを備え、外部より送入のエアーＥを加熱するとともにエアーＥに霧Ｋを噴射し過熱水蒸気Ｆを送出することとした。【選択図】図１
2018179480.tif 000002
【特許請求の範囲】
【請求項１】
外部よりエアーを送入し加熱する加熱ダクトと、前記加熱ダクトの内部に設けられ前記外部より送入のエアーを加熱するヒーターユニットと、前記加熱ダクトの内部に設けられ前記外部より送入のエアーに霧を噴射する噴射ノズルとを備え、前記外部より送入のエアーを前記ヒーターユニットにより加熱するとともに前記噴射ノズルにより前記エアーに霧を噴射し過熱水蒸気を送出することを特徴とする過熱水蒸気送出装置。
【請求項２】
前記加熱ダクトは、前記外部より送入のエアーを加熱するヒーターユニットと、前記加熱ダクトの内部に設けられ前記外部より送入のエアーに霧を噴射する噴射ノズルとが設けられた胴体部の断面を四角形状としたことを特徴とする請求項１に記載の過熱水蒸気送出装置。
【請求項３】
前記ヒーターユニットは、底部が閉口した円筒形状の筒部の内部にコイル型の電熱ヒータを設けることとしたことを特徴とする請求項１または請求項２に記載の過熱水蒸気送出装置。
【請求項４】
前記噴射ノズルは、前記加熱ダクトの内部に前記ヒーターユニットと共に設けられ外部より供給の霧を噴射することとしたことを特徴とする請求項１または請求項２に記載の過熱水蒸気送出装置。
【発明の詳細な説明】
【技術分野】
【０００１】  本発明は、外部より送入のエアーを加熱するとともに送入のエアーに霧を噴射し簡潔構造で容易に過熱水蒸気の送出を行う過熱水蒸気送出装置に関する。
【背景技術】
【０００２】  従来の過熱水蒸気送出装置には、貯留水を加熱して水蒸気を発生させ、発生させた水蒸気を加熱した水蒸気と、外部より送入し加熱した空気とを混合し過熱水蒸気を送出するものがある（例えば特許文献１参照）。
【先行技術文献】
【特許文献】
【０００３】
【特許文献１】特開２０１０−７８２４９号公報
【発明の概要】
【発明が解決しようとする課題】
【０００４】  しかしながら、従来の過熱水蒸気送出装置は、加熱した水蒸気と外部より送入し加熱した空気とを混合し過熱水蒸気を送出することはできるが、過熱水蒸気を送出する機構が極めて複雑構造となっていると言わざるを得ないという問題があった。【０００５】  本発明は、上記に鑑みてなされたものであって、外部より送入のエアーを加熱するとともに送入のエアーに霧を噴射し簡潔構造で容易に過熱水蒸気の送出を行う過熱水蒸気送出装置を提供することを目的とする。
【課題を解決するための手段】
【０００６】  本発明の過熱水蒸気送出装置は、外部よりエアーを送入し加熱する加熱ダクトと、前記加熱ダクトの内部に設けられ前記外部より送入のエアーを加熱するヒーターユニットと、前記加熱ダクトの内部に設けられ前記外部より送入のエアーに霧を噴射する噴射ノズルとを備え、前記外部より送入のエアーを前記ヒーターユニットにより加熱するとともに前記噴射ノズルにより前記エアーに霧を噴射し過熱水蒸気を送出することとした。
また、前記加熱ダクトは、前記外部より送入のエアーを加熱するヒーターユニットと、前記加熱ダクトの内部に設けられ前記外部より送入のエアーに霧を噴射する噴射ノズルとが設けられた胴体部の断面を四角形状とした。
また、前記ヒーターユニットは、底部が閉口した円筒形状の筒部の内部にコイル型の電熱ヒータを設けることとした。
さらに、前記噴射ノズルは、前記加熱ダクトの内部に前記ヒーターユニットと共に設けられ外部より供給の霧を噴射することとした。
【発明の効果】
【０００７】  本発明の過熱水蒸気送出装置は、外部よりエアーを送入し加熱する加熱ダクトと、前記加熱ダクトの内部に設けられ前記外部より送入のエアーを加熱するヒーターユニットと、前記加熱ダクトの内部に設けられ前記外部より送入のエアーに霧を噴射する噴射ノズルとを備え、前記外部より送入のエアーを前記ヒーターユニットにより加熱するとともに前記噴射ノズルにより前記エアーに霧を噴射し加熱水蒸気を送出することとしたため、簡潔構造で効果的に容易に過熱水蒸気の送出を行うことができる。
また、前記加熱ダクトは、前記外部より送入のエアーを加熱するヒーターユニットと、前記加熱ダクトの内部に設けられ前記外部より送入のエアーに霧を噴射する噴射ノズルとが設けられた胴体部の断面を四角形状としたため、ヒーターユニットの垂直方向への取付を容易とし効果的に熱伝導も行われる。
また、前記ヒーターユニットは、底部が閉口した円筒形状の筒部の内部にコイル型の電熱ヒータを設けることとしたため、噴射ノズルから噴射の霧にも直接接触することなくエアーを効果的に加熱し、損傷や劣化の防止も行うことができる。
さらに、前記噴射ノズルは、前記加熱ダクトの内部に前記ヒーターユニットと共に設けられ外部より供給の霧を噴射することとしたため、外部より送入のエアーに効果的に霧を混合することができる。
【図面の簡単な説明】
【０００８】
【図１】  本発明の実施形態の過熱水蒸気送出装置の斜視図を示す。
【図２】  本発明の実施形態の過熱水蒸気送出装置の縦断面図を示す。
【発明を実施するための形態】
【０００９】  以下、本発明の実施形態の過熱水蒸気送出装置につき説明する。
【実施例】
【００１０】  図１は、本発明の実施形態の過熱水蒸気送出装置の斜視図を示す。
図１に示すように、本発明の実施形態の過熱水蒸気送出装置１０には加熱ダクト１１が設けられ、加熱ダクト１１は、エアー送入部１２と加熱水蒸気送出部１３と胴体部１４とで形成され、エアー送入部１２の送入口１２ａからエアーＥが送入し、過熱水蒸気送出部１３の送出口１３ａから過熱水蒸気Ｆが送出する。
エアー送入部１２の送入口１２ａから送入するエアーＥは、別途設置する送風ファンやコンプレサーから送出する。
加熱ダクト１１の胴体部１４には、電熱ヒーターユニット１６と図２に示す噴射ノズル１５ａ、１５ｂとが設けられ、電熱ヒーターユニット１６はエアー送入部１２の送入口１２ａから送入のエアーＥを加熱し、噴射ノズル１５ａ、１５ｂはエアー送入部１２の送入口１２ａから送入のエアーＥに霧Ｋを噴射し、加熱ダクト１１から過熱水蒸気Ｆが送出する。
胴体部１４の側面には噴射ノズル１５ａ、１５ｂに外部から送入管により霧を供給するための開口部１７が設けられている。【００１１】  図２は、本発明の実施形態の過熱水蒸気送出装置の縦断面図を示す。
図２に示すように、本発明の実施形態の過熱水蒸気送出装置１０には加熱ダクト１１が設けられている。
加熱ダクト１１の胴体部１４には、電熱ヒーターユニット１６と噴射ノズル１５ａ、１５ｂとが設けられ、エアー送入部１２の送入口１２ａからエアーＥが送入し、過熱水蒸気送出部１３の送出口１３ａから過熱水蒸気Ｆが送出する。【００１２】  電熱ヒーターユニット１６は、底部が閉口した円筒形状の筒部１６ａの内部にコイル型の電熱ヒータ１６ｂが設けられている。コイル型の電熱ヒータ１６ｂは、伝熱材で形成された底部が閉口した円筒形状の筒部１６ａに密封され設けられているため、噴射ノズル１５ａ、１５ｂから噴射の霧Ｋにも直接接触することなくエアーＥを効果的に加熱し、損傷や劣化の防止も行うことができる。加熱ダクト１１は胴体部１４の断面を四角形状としているため、電熱ヒーターユニット１６の垂直方向への取付を容易とし効果的に熱伝導も行われる。
なお、電熱ヒーターユニット１６には内部にコイル型の電熱ヒータ１６ｂが設けられているが、コイル型に限らず直線形状などの各種の形状にすることができ、また、電熱ヒータに限らず各種のヒータを使用することもできる。【００１３】  噴射ノズル１５ａ、１５ｂは、加熱ダクト１１の内部に電熱ヒーターユニット１６と共に設け外部より供給の霧を噴射することとした。そのため、噴射した霧Ｋにより外部より送入のエアーに霧を効果的に混合することができる。
噴射ノズル１５ａは加熱ダクト１１の胴体部１４の中央に設け、噴射ノズル１５ｂは加熱ダクト１１の胴体部１４のエアー送出側に設けるようにしたが、噴射ノズル１５ａのみにすることも噴射ノズル１５ｂのみにすることもでき，また、加熱ダクト１１の胴体部１４のエアー送入側に噴射ノズルを設けることもできる。
また、加熱ダクト１１の胴体部１４のエアー送入側にエアー圧縮器１８を設け、送入のエアーの圧をさらに上げるようにすることもできる。【００１４】  以上述べたように本発明の実施形態の過熱水蒸気送出装置１０は、加熱ダクト１１をエアー送入部１２と過熱水蒸気送出部１３と胴体部１４とで形成し、エアー送入部１２からエアーＥを送入し、胴体部１４でエアーＥを加熱するとともに噴射ノズル１５ａ、１５ｂより霧Ｋを噴射し、過熱水蒸気送出部１３から過熱水蒸気Ｆが送出するようにしたため、簡潔構造で効果的に容易に過熱水蒸気の送出を行うことができる。【００１５】  なお、過熱水蒸気送出装置１０はエアーＥを送入し過熱水蒸気Ｆが送出するが、エアー送入部１２からさらに高圧のエアーを送入して、高圧の過熱水蒸気を送出するようにすることができ、また、エアーＥをさらに高温に加熱し高圧の過熱水蒸気を送出するようにすることもできる。勿論、高温高圧の過熱水蒸気を送出するようにすることもできる。
さらに、エアーＥに水蒸気又は霧を混入し、電熱ヒーターユニット１６で加熱し過熱水蒸気を送出するようにすることもできる。
【産業上の利用可能性】
【００１６】  本発明の過熱水蒸気送出装置は、外部よりエアーを送入し、送入したエアーを加熱するとともに送入したエアーに霧を噴射し過熱水蒸気を送出するものであり、各種の加熱や洗浄や乾燥など様々の用途に使用でき、勿論工場の設備や建物などの修理や改築にも幅広く適用することができる。
【符号の説明】
【００１７】１０  過熱水蒸気送出装置
１１  加熱ダクト
１２  エアー送入部
１２ａ  送入口
１３  過熱水蒸気送出部
１３ａ  送出口
１４  胴体部
１５ａ、１５ｂ  噴射ノズル
１６  電熱ヒーターユニット
１６ａ  円筒形状の筒部
１６ｂ  電熱ヒータ
１７  開口部
Ｅ  エアー
Ｋ  噴射の霧
Ｆ  過熱水蒸気
【図１】
2018179480.tif 000003
【図２】
2018179480.tif 000004